【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
撮像装置による静止画撮像動作を制御する撮像記録制御部と、
上記撮像装置の操作者又は被写体人物による所定の撮像指示入力に応じて行われる静止画撮像動作の場合には、上記撮像記録制御部に第１の撮像動作設定での静止画撮像制御を指示し、上記所定の撮像指示入力によらないで行われる静止画撮像動作の場合には、上記撮像記録制御部に第２の撮像動作設定での静止画撮像制御を指示する撮像設定切換制御部と、
を備えた撮像制御装置。
【請求項２】
上記第２の撮像動作設定は、上記第１の撮像動作設定よりも、上記撮像装置のシャッター速度を速くする撮像動作設定である請求項１に記載の撮像制御装置。
【請求項３】
上記第１の撮像動作設定は、上記撮像装置の露光調整動作が、光量低下に応じてシャッター速度を第１の所定速度まで低下させた段階に至った後、撮像感度を上昇させる設定であり、
上記第２の撮像動作設定は、上記撮像装置の露光調整動作が、光量低下に応じてシャッター速度が上記第１の所定速度より速い第２の所定速度まで低下させた段階に至った後、撮像感度を上昇させる設定である請求項１に記載の撮像制御装置。
【請求項４】
上記第１の撮像動作設定は、上記撮像装置の静止画撮像動作による静止画データ生成として、レリーズタイミングに応じた１フレームの撮像画像データから撮像結果としての静止画データを得る設定であり、
上記第２の撮像動作設定は、上記撮像装置の静止画撮像動作による静止画データ生成として、レリーズタイミングに応じた複数フレームの撮像画像データの重ね合わせ合成処理を行って撮像結果としての静止画データを得る設定である請求項１に記載の撮像制御装置。
【請求項５】
上記第１の撮像動作設定は、上記撮像装置の静止画撮像動作による静止画データ生成として、レリーズタイミングに応じた１フレームの撮像画像データから撮像結果としての静止画データを得る設定であり、
上記第２の撮像動作設定は、上記撮像装置の静止画撮像動作による静止画データ生成として、レリーズタイミングに応じた複数フレームの撮像画像データについての選択処理を行って撮像結果としての静止画データを得る設定である請求項１に記載の撮像制御装置。
【請求項６】
上記第１の撮像動作設定は、撮像タイミング又はその前後で上記撮像装置に所定の発光もしくは発音を実行させる動作設定であり、
上記第２の撮像動作設定は、撮像タイミング又はその前後で上記撮像装置に所定の発光もしくは発音を実行させない動作設定である請求項１に記載の撮像制御装置。
【請求項７】
上記所定の撮像指示入力によらないで行われる静止画撮像動作とは、上記撮像装置が自動静止画撮像モードで撮像を実行している際の静止画撮像動作であり、
上記所定の撮像指示入力に応じて行われる静止画撮像動作は、上記自動静止画撮像モードの際に、所定のトリガ入力によって撮像要求が行われた際に実行される要求対応撮像モードでの静止画撮像動作である請求項１に記載の撮像制御装置。
【請求項８】
上記撮像装置についての撮像視野の可変機構を駆動制御する撮像視野可変制御部をさらに備え、
上記自動静止画撮像モードでは、上記撮像視野可変制御部が上記可変機構を駆動制御しながら上記撮像記録制御部の制御により撮像装置が静止画撮像動作を行う請求項７に記載の撮像制御装置。
【請求項９】
上記自動静止画撮像モードでは、上記撮像装置の撮像方向を固定した状態で上記撮像記録制御部の制御により撮像装置が静止画撮像動作を行う請求項７に記載の撮像制御装置。
【請求項１０】
撮像装置による静止画撮像動作の制御として、上記撮像装置の操作者又は被写体人物による所定の撮像指示入力に応じて行われる静止画撮像動作の場合には、第１の撮像動作設定での静止画撮像制御を実行し、上記所定の撮像指示入力によらないで行われる静止画撮像動作の場合には、第２の撮像動作設定での静止画撮像制御を実行する撮像制御方法。
【請求項１１】
撮像装置による静止画撮像動作の制御を演算処理装置に実行させるプログラムとして、
上記撮像装置の操作者又は被写体人物による所定の撮像指示入力に応じて行われる静止画撮像動作の場合には、第１の撮像動作設定での静止画撮像制御を実行させ、上記所定の撮像指示入力によらないで行われる静止画撮像動作の場合には、第２の撮像動作設定での静止画撮像制御を実行させるプログラム。
【手続補正２】
【補正対象書類名】明細書
【補正対象項目名】０００７
【補正方法】変更
【補正の内容】
【０００７】
本発明の撮像制御装置は、撮像装置による静止画撮像動作を制御する撮像記録制御部と、上記撮像装置の操作者又は被写体人物による所定の撮像指示入力に応じて行われる静止画撮像動作の場合には、上記撮像記録制御部に第１の撮像動作設定での静止画撮像制御を指示し、上記所定の撮像指示入力によらないで行われる静止画撮像動作の場合には、上記撮像記録制御部に第２の撮像動作設定での静止画撮像制御を指示する撮像設定切換制御部とを備える。
【手続補正３】
【補正対象書類名】明細書
【補正対象項目名】００６６
【補正方法】変更
【補正の内容】
【００６６】
まずデジタルスチルカメラ１側において、撮像記録制御部８１は、撮像により得られた画像を画像信号のデータ（撮像画像データ）として得て、この撮像画像データを静止画データとして記録媒体に記憶するための制御処理を実行する部位である。また撮像記録制御部８１は、記録した静止画データの再生、表示動作、或いは撮像時のスルー画の表示動作等のための制御も行う。
即ち撮像記録制御部８１は、図８の光学系部２１、イメージセンサ２２、Ａ／Ｄコンバータ２３、信号処理部２４、エンコード／デコード部２５、メディアコントローラ２６、表示ドライバ３２等の制御を行う。即ち、光学系部２１のレンズ駆動制御、イメージセンサ２２の撮像動作、撮像信号処理、記録再生処理等を指示し、静止画撮像を実行させるなど、デジタルスチルカメラ１の基本動作を制御する機能部位である。
そして本例の場合、撮像記録制御部８１は、撮像記録動作制御の際の動作設定として、モードシーケンス制御部８６から指示された撮像動作設定に基づいて制御を行う。本例では、モードシーケンス制御部８６から指示される撮像動作設定とは、通常撮像設定と無意識撮像設定とする。通常撮像設定と無意識撮像設定の内容については後述するが、撮像記録制御部８１は、通常撮像設定が指示されている際には、通常撮像設定に基づいて撮像記録動作の制御を行う。また無意識撮像設定が指示されている際には、無意識撮像設定に基づいて撮像記録動作の制御を行う。
この撮像記録制御部８１は、本発明請求項にいう「撮像記録制御部」としての機能を含むものである。
【手続補正４】
【補正対象書類名】明細書
【補正対象項目名】０１５０
【補正方法】変更
【補正の内容】
【０１５０】
また、モードシーケンス制御部７７は、例えば図１０の処理シーケンスを実行させるために各機能部位に指示を与えるが、通常撮像設定と無意識撮像設定を、通信処理部７１，８５を介して撮像記録制御部８１に指示する。特には、この図１６の機能構成は、デジタルスチルカメラ１が雲台１０に取り付けられた状態を前提とする構成例であるため、図１０のステップＦ１０８〜Ｆ１１５の自動撮像における動作制御を行う。即ちモードシーケンス制御部７７は、自動静止画撮像モードにおいて無意識撮像設定を指示し、要求対象撮像モードの際に通常撮像設定を指示する。
またモードシーケンス制御部７７は、図１０のステップＦ１０９、Ｆ１１９でのレリーズ処理を行う際には、通信処理部７１介してデジタルスチルカメラ１側の制御部２７（撮像記録制御部８１）にレリーズ制御信号を出力する。撮像記録制御部８１は、レリーズ制御信号に応じて、静止画記録動作を実行制御する。
トリガ検出／受付部７９は、トリガ入力を検知する。そして検知した場合に要求対応撮像モードへのトリガとして受け付ける。